(57)【特許請求の範囲】
【請求項１】
フランジ部を備えた前面において表示デバイスが露出するように該表示デバイスを収納するケースを備えた表示装置を盤面の開口に取り付ける表示装置の盤面取付構造であって、
凹部と、該凹部から後方に延びる溝とが上面に設けられた前記ケースと、
前記凹部に収容されて前記ケースの上面から突出していない第１の状態と、前記ケースの上面から突出した第２の状態とをとりうるように前記ケースに設置された取付アダプタと、
頭が後方を向いた状態で前記取付アダプタを貫通させた固定ねじとを有し、
前記盤面の開口に前記ケースを挿入し、
前記第１の状態の前記取付アダプタを貫通している前記固定ねじの頭に前記溝を介して工具を係合させ、該固定ねじに上方向への力を加えて前記取付アダプタを前記第２の状態とし、
前記固定ねじを締めて、前記第２の状態の前記取付アダプタを貫通している前記固定ねじの先端と、前記フランジ部との間に前記盤面の前記開口の縁の部分を挟み込んで前記盤面に前記表示装置を固定することを特徴とする表示装置の盤面取付構造。
【請求項２】
前記固定ねじの先端が平面状であることを特徴とする請求項１に記載の表示装置の盤面取付構造。
【発明の詳細な説明】
【技術分野】
【０００１】
本発明は、盤面の角穴部に表示装置を取り付ける表示装置の盤面取付構造に関する。
【背景技術】
【０００２】
従来、ケースの前面にフランジ部を備えた表示装置を盤面の角穴部に取り付ける際には、鉤部が設けられたＵ字状金具と固定ねじとからなる取付アダプタが用いられていた。このような取付アダプタを用いて表示装置を盤面の角穴部に取り付ける際には、盤面に表示装置を装着し、ケースに設けられた係合穴にＵ字状金具の鉤部を挿入してから固定ねじを締め付けることによって、ケース前面のフランジ部と固定ねじとの間に盤面を挟み込んでいた。
【０００３】
上記のような取付作業を行うにあたっては、盤面の角穴部に表示装置を挿入した不安定な状態で、取付アダプタの鉤部とケースの係合穴に挿入しなければならず、表示装置の支持と、取付アダプタの支持と、固定ねじの締め付けとを同時に行う必要がある。このため、単独での作業は困難であり、単独で行うと表示装置を落下させてしまうおそれもある。
【０００４】
また、設置スペースが狭く係合穴を目視できない場合は、手探りで取付アダプタを挿入しなければならず、作業性が悪くなってしまう。
【０００５】
特許文献１に開示される「パネルへのケース取付装置」は、固定具をケースと分離しない構造としている。
【先行技術文献】
【特許文献】
【０００６】
【特許文献１】特開平０６−６９６６６号公報
【発明の概要】
【発明が解決しようとする課題】
【０００７】
しかしながら、上記特許文献１に記載の発明は、固定具をケースから突出させるのにバネを用いている。このため、部品点数や組立工数の増加により、製造コストが増大してしまう。
【０００８】
また、バネの弾性力が劣化するとケースから突出させた固定具が取付用正規位置に配置されなくなってしまい、ケースをパネルに取り付けることができなくなる。すなわち、耐久性が低くなってしまう。
【０００９】
本発明は、上記に鑑みてなされたものであって、低コストで耐久性に優れた表示装置の盤面取付構造を得ることを目的とする。
【課題を解決するための手段】
【００１０】
上述した課題を解決し、目的を達成するために、本発明は、フランジ部を備えた前面において表示デバイスが露出するように該表示デバイスを収納するケースを備えた表示装置を盤面の開口に取り付ける表示装置の盤面取付構造であって、凹部と、凹部から後方に延びる溝とが上面に設けられたケースと、凹部に収容されてケースの上面から突出していない第１の状態と、ケースの上面から突出した第２の状態とをとりうるように凹部に設置された取付アダプタと、頭が後方を向いた状態で取付アダプタを貫通させた固定ねじとを有し、盤面の開口にケースを挿入し、第１の状態の取付アダプタを貫通している固定ねじの頭に溝を介して工具を係合させ、固定ねじに上方向への力を加えて取付アダプタを第２の状態とし、固定ねじを締めて、第２の状態の取付アダプタを貫通している固定ねじの先端と、フランジ部との間に盤面の開口の縁の部分を挟み込んで盤面に表示装置を固定することを特徴とする。
【発明の効果】
【００１１】
本発明によれば、耐久性に優れた表示装置の盤面取付構造を低コストで実現できるという効果を奏する。
【図面の簡単な説明】
【００１２】
【図１】図１は、本発明にかかる表示装置の盤面取付構造の実施の形態を示す全体斜視図である。
【図２】図２は、ケースから突出した状態の取付アダプタの側面断面図である。
【図３】図３は、ケースに格納された状態の取付アダプタの側面断面図である。
【発明を実施するための形態】
【００１３】
以下に、本発明にかかる表示装置の盤面取付構造の実施の形態を図面に基づいて詳細に説明する。なお、この実施の形態によりこの発明が限定されるものではない。
【００１４】
実施の形態．
図１は、本発明にかかる表示装置の盤面取付構造の実施の形態を示す全体斜視図である。実施の形態にかかる表示装置の盤面取付構造は、フランジ部４が形成された前面において表示デバイスが露出するように表示デバイスを収納するケース３を備えた表示装置２を盤面１の開口（例えば、角穴）に取り付けるための構造であり、ケース３、取付アダプタ５及び固定ねじ６を有する。図１において、紙面手前側の取付アダプタ５はケース３から突出した状態、紙面奥側の取付アダプタ５はケース３に格納された状態となっている。
【００１５】
図２は、ケース３から突出した状態の取付アダプタ５の側面断面図である。表示装置２の制御部などを格納したケース３は背面部から盤面１の角穴に挿入され、ケース３前面のフランジ部４と盤面１とを固定ねじ６で押圧することにより、表示装置２が盤面１に固定される。
【００１６】
図３は、ケース３に格納された状態の取付アダプタ５の側面断面図である。ケース３は、取付アダプタ格納部１１を備えており、ケース３を盤面の角穴へ挿入する際には取付アダプタ格納部１１に取付アダプタ５が格納される。
【００１７】
ケース３を盤面１の角穴に挿入後固定する際には、図３に示すようにドライバ１０の先端を固定ねじ６の頭に係合させて、取付アダプタ５を上にスライドさせてケース３から突出させる。そして、ドライバ１０の先端を固定ねじ６の頭に係合させたまま固定ねじ６を締め付けて、取付アダプタ５がケース３から突出した状態でケース３を盤面１に固定する。
【００１８】
ケース３は、ドライバ１０の先端が固定ねじ６の頭にかかり、ケース３から突出させる操作を行える角度の溝部９が、ドライバ１０の幅よりも太幅で設けられている。溝部９にドライバ１０を通し、ドライバ１０の先端で取付アダプタ５を上にスライドさせてケース３から突出させることが可能であるため、設置スペースが狭い場合でも取付作業は容易である。
【００１９】
また、図２に示すように、取付アダプタ５をケース３から突出させた際には、取付アダプタ５側の鉤部８がケース３側の鍔部７に接触し、取付アダプタがケース３から脱落することは防止される。また、鉤部８が鍔部７に接触した位置で取付アダプタ５が位置決めされるため、取付アダプタ５のケース３からの突出量を容易に所定量とすることができる。
【００２０】
ケース３から取付アダプタ５が突出した状態で固定ねじ６を締め付けることにより、ケース３の前面のフランジ部４と固定ねじ６の先端部との間で盤面１が挟み込まれる。これにより、表示装置２は盤面１の角穴に固定される。
【００２１】
取付アダプタ５は、樹脂や金属を材料として形成することが可能である。取付アダプタ５を樹脂製とすれば、量産性に高め、部品コストを低減することが可能となる。また、取付アダプタ５を金属製とすれば、部品の強度を高めることができるため、固定ねじ６を強く締め付けて表示装置２を強固に盤面１に固定できる。
【００２２】
なお、固定ねじ６の先端部を平面状としても良い。このようにすれば、盤面１と固定ねじ６とが面接触するため、表示装置２をより強固に固定できる。
【００２３】
このように、本実施の形態にかかる表示装置の盤面取付構造は、弾性部品を用いることなく、手動で取付アダプタをケースから突出させるため、部品点数や組立工数の増加を抑え、製造コストの増大を防ぐことができる。また、部品の劣化により取付アダプタが所望の位置まで突出しない状態が発生しないようにすることができる。
【００２４】
本実施の形態にかかる表示装置の盤面取付構造は、狭い設置スペースにおいて前面枠付きケースを有する表示装置を盤面の背面側から固定するのに適している。
【符号の説明】
【００２５】
１  盤面
２  表示装置
３  ケース
４  フランジ部
５  取付アダプタ
６  固定ねじ
７  鍔部
８  鉤部
９  溝部
１０  ドライバ
１１  取付アダプタ格納部
【図１】
0005546479.tif 000002
【図２】
0005546479.tif 000003
【図３】
0005546479.tif 000004